(57)【要約】【課題】  地震等の振動が発生した場合には物品の転倒や移動を確実に防止し、かつ、当該物品を使用する際には、物品を所定位置から移動することを何ら妨げることがない振動センサ付き物品固定具１０を提供すること。【解決手段】  本発明の振動センサ付き物品固定具１０は、下面が接地面に固着されるベース部１１と、一部に開口部１２を備え、ベース部１１の上面を覆う上蓋２０と、ベース部１１の上面に配置され、被固定部９４を進入出自在の状態と固定状態とにするロックアーム３０と、ベース部１１の上面に配置され、ロックアーム３０に連結可能なセットアーム４０と、ベース部１１の上面に配置され、セットアーム４０と接続することでロックアーム３０とセットアーム４０の連結を規制してロックアーム３０を進入出自在の状態とし、地震等の振動の感知によりセットアーム４０との接続を解除することでロックアーム３０とセットアーム４０を連結させてロックアーム３０を固定状態とする振動センサ部５０とを概略具備している。【選択図】図９
2010164189.tif 000002
【特許請求の範囲】
【請求項１】
一方の面が接地面に固着されるベース部と、
前記ベース部の他方の面に配置され、被固定部を進入出自在の状態と固定状態とにする第１のアームと、
前記ベース部の他方の面に配置され、前記第１のアームに連結可能な第２のアームと、
前記ベース部の他方の面に配置され、前記第２のアームと接続することで前記第１のアームと前記第２のアームの連結を規制して進入出自在の状態とし、振動の感知により前記第２のアームとの接続を解除することで前記第１のアームと前記第２のアームを連結させて固定状態とする振動センサ部と、
を具備することを特徴とする振動センサ付き物品固定具。
【請求項２】
前記第１のアームは、基端に第１のアーム回動支軸を備え、先端に前記第２のアームと連結することで前記第１のアームの回動を不可にする回動固定部を備えることを特徴とする請求項１に記載の振動センサ付き物品固定具。
【請求項３】
前記第１のアームは、さらに第１のアーム付勢手段を備え、該第１のアーム付勢手段の付勢力により前記第１のアームが前記第２のアームと連結可能となる位置に配置されていることを特徴とする請求項１または請求項２に記載の振動センサ付き物品固定具。
【請求項４】
前記第１のアームは、前記被固定部の進入により該第１のアーム付勢手段の付勢力に抗して回動可能であることを特徴とする請求項３に記載の振動センサ付き物品固定具。
【請求項５】
前記第２のアームは、一方に前記第１のアームと連結する連結部と、他方に前記振動センサ部と接続する接続部と、前記連結部と前記接続部との間に設けられた第２のアーム回動支軸とを備えることを特徴とする請求項１乃至請求項４に記載の振動センサ付き物品固定具。
【請求項６】
前記第２のアームは、さらに第２のアーム付勢手段を備え、該第２のアーム付勢手段の付勢力により前記第２のアームが回動して前記第１のアームと連結することを特徴とする請求項５に記載の振動センサ付き物品固定具。
【請求項７】
前記振動センサ部は、感知した振動を前記第２のアームに伝えるセンサアームと、振動を感知する振動感知部とから構成されていることを特徴とする請求項１乃至請求項６に記載の振動センサ付き物品固定具。
【請求項８】
前記センサアームは、基端にセンサアーム回動支軸を備え、先端に前記第２のアームの前記接続部に接続されるセンサレバーが設けられていることを特徴とする請求項７に記載の振動センサ付き物品固定具。
【請求項９】
前記振動感知部は、中心に貫通穴が設けられたおもり部と、開口した一端と内側が円錐状に形成された閉口した他端とを有し、該一端の側が前記おもり部の該貫通穴に挿入されるおもり保持部と、前記ベース部に突設され、前記おもり保持部を内側から懸垂する軸状のおもり懸垂部とが設けられていることを特徴とする請求項８に記載の振動センサ付き物品固定具。
【請求項１０】
感知した振動を外部に伝えるセンサアームと、振動を感知する振動感知部とから構成される振動センサであって、
前記センサアームは、基端にセンサアーム回動支軸を備え、先端に外部に接続されるセンサレバーが設けられ、
前記振動感知部は、中心に貫通穴が設けられたおもり部と、開口した一端と内側が円錐状に形成された閉口した他端とを有し、該一端の側が前記おもり部の該貫通穴に挿入されるおもり保持部と、前記おもり保持部を内側から懸垂する軸状のおもり懸垂部とが設けられ、
前記閉口した他端が前記センサアームの基端と先端との間に当接し、振動で揺動する前記振動感知部により前記閉口した他端が前記センサアームを動作させて感知した振動を外部に伝えることを特徴とする振動センサ。
【発明の詳細な説明】
【技術分野】
【０００１】  本発明は、種々のキャスタ付き物品が地震や意図しない物品等の衝突により発生する振動で転倒や移動することを防止する振動センサ付き物品固定具に関する。
【背景技術】
【０００２】  従来、家庭内における薄型テレビ用置き台、ピアノ、パーソナルコンピュータテーブル等や、商店や工場における商品・製品を陳列する什器、商品・製品を搬送する台車等や、事務所における椅子、机、移動棚、ホワイトボード、コピー機等の移動のために、それらの物品の下部にキャスタが配設されている。このようなキャスタ付き物品のキャスタにはストッパが設けられており、移動ができないように車輪の回転を止めて固定できるようになっている。【０００３】  このような従来のキャスタ付き物品においては、ストッパを利用して車輪を固定した状態では、地震や意図しない他の物品等の衝突時に車輪による移動ができないため、キャスタ付き物品が転倒することがあった。【０００４】  また、キャスタ付き物品が転倒しない場合であっても、キャスタの車輪の表面とキャスタ付き物品が設置されている接地面との静止摩擦力より地震等の振動の力が大きい場合には、該キャスタ付き物品が接地面上を横滑りして移動してしまうことがあった。【０００５】  これらの従来のキャスタ付き物品の転倒や移動の防止のために、特許文献１には、家具の４つのキャスタを拘束するために、各々のキャスタのそれぞれの対向側面に当接する当て板を、蝶番により起倒可能として床面上に設け、かつ当て板に内側から当接する当接面を両端部に有する支持杆を、左右のベース脚を連結する連結ビームに引張りばねをもって連結する装置の構成が開示されている。【０００６】  また同様に、特許文献２には、回転可能な自在キャスタを備えるキャスタ付き物品に該自在キャスタの旋回制限ロック機構と暴走制限ロック機構とを設けた構成が開示されている。
【先行技術文献】
【特許文献】
【０００７】
【特許文献１】  特開平１１−１４１６１０号公報
【特許文献２】  特開２００３−２８５６０４号公報
【発明の概要】
【発明が解決しようとする課題】
【０００８】  しかしながら、特許文献１に開示されるような従来のキャスタ付き物品の転倒や移動を防止する装置は、普段、使用するために移動させなければならないオフィス用椅子、オフィス用机や台車のキャスタ付き物品を常時固定してしまうことになるため、使用することができない課題があった。【０００９】  また、特許文献２に開示されるような従来のロック機構を設けたキャスタ付き物品は、キャスタの周辺に複雑な機構を設けなければならないため、どのようなキャスタ付き物品でも適用できるわけではないという課題があった。
【課題を解決するための手段】
【００１０】  この発明の目的は、上述した事情に鑑みなされたもので、この発明の主たる目的は、どのようなキャスタ付き物品にも適用でき、かつ地震等の振動に対して該キャスタ付き物品の転倒と移動を確実に防止できる振動センサ付き物品固定具を提供することである。【００１１】  上述した課題を解決し、目的を達成するため、この発明に係わる振動センサ付き物品固定具は、請求項１の記載によれば、一方の面が接地面に固着されるベース部と、前記ベース部の他方の面に配置され、被固定部を進入出自在の状態と固定状態とにする第１のアームと、前記ベース部の他方の面に配置され、前記第１のアームに連結可能な第２のアームと、前記ベース部の他方の面に配置され、前記第２のアームと接続することで前記第１のアームと前記第２のアームの連結を規制して進入出自在の状態とし、振動の感知により前記第２のアームとの接続を解除することで前記第１のアームと前記第２のアームを連結させて固定状態とする振動センサ部と、を具備することを特徴とする。【００１２】  上述した課題を解決し、目的を達成するため、この発明に係わる振動センサ付き物品固定具は、請求項２の記載によれば、前記第１のアームは、基端に第１のアーム回動支軸を備え、先端に前記第２のアームと連結することで前記第１のアームの回動を不可にする回動固定部を備えることを特徴とする。【００１３】  上述した課題を解決し、目的を達成するため、この発明に係わる振動センサ付き物品固定具は、請求項３の記載によれば、前記第１のアームは、さらに第１のアーム付勢手段を備え、該第１のアーム付勢手段の付勢力により前記第１のアームが前記第２のアームと連結可能となる位置に配置されていることを特徴とする。【００１４】  上述した課題を解決し、目的を達成するため、この発明に係わる振動センサ付き物品固定具は、請求項４の記載によれば、前記第１のアームは、前記被固定部の進入により該第１のアーム付勢手段の付勢力に抗して回動可能であることを特徴とする。【００１５】  上述した課題を解決し、目的を達成するため、この発明に係わる振動センサ付き物品固定具は、請求項５の記載によれば、前記第２のアームは、一方に前記第１のアームと連結する連結部と、他方に前記振動センサ部と接続する接続部と、前記連結部と前記接続部との間に設けられた第２のアーム回動支軸とを備えることを特徴とする。【００１６】  上述した課題を解決し、目的を達成するため、この発明に係わる振動センサ付き物品固定具は、請求項６の記載によれば、前記第２のアームは、さらに第２のアーム付勢手段を備え、該第２のアーム付勢手段の付勢力により前記第２のアームが回動して前記第１のアームと連結することを特徴とする。【００１７】  上述した課題を解決し、目的を達成するため、この発明に係わる振動センサ付き物品固定具は、請求項７の記載によれば、前記振動センサ部は、感知した振動を前記第２のアームに伝えるセンサアームと、振動を感知する振動感知部とから構成されていることを特徴とする。【００１８】  上述した課題を解決し、目的を達成するため、この発明に係わる振動センサ付き物品固定具は、請求項８の記載によれば、前記センサアームは、基端にセンサアーム回動支軸を備え、先端に前記第２のアームの前記接続部に接続されるセンサレバーが設けられていることを特徴とする。【００１９】  上述した課題を解決し、目的を達成するため、この発明に係わる振動センサ付き物品固定具は、請求項９の記載によれば、前記振動感知部は、中心に貫通穴が設けられたおもり部と、開口した一端と内側が円錐状に形成された閉口した他端とを有し、該一端の側が前記おもり部の該貫通穴に挿入されるおもり保持部と、前記ベース部に突設され、前記おもり保持部を内側から懸垂する軸状のおもり懸垂部とが設けられていることを特徴とする。【００２０】  上述した課題を解決し、目的を達成するため、この発明に係わる振動センサは、請求項１０の記載によれば、感知した振動を外部に伝えるセンサアームと、振動を感知する振動感知部とから構成される振動センサであって、前記センサアームは、基端にセンサアーム回動支軸を備え、先端に外部に接続されるセンサレバーが設けられ、前記振動感知部は、中心に貫通穴が設けられたおもり部と、開口した一端と内側が円錐状に形成された閉口した他端とを有し、該一端の側が前記おもり部の該貫通穴に挿入されるおもり保持部と、前記おもり保持部を内側から懸垂する軸状のおもり懸垂部とが設けられ、前記閉口した他端が前記センサアームの基端と先端との間に当接し、振動で揺動する前記振動感知部により前記閉口した他端が前記センサアームを動作させて感知した振動を外部に伝えることを特徴とする。
【発明の効果】
【００２１】  この発明によれば、どのような従来のキャスタ付き物品にも適用できる振動センサ付き物品固定具を提供することができる。【００２２】  また、この発明により、従来のキャスタ付き物品を地震等の振動による転倒と移動を防止することができる振動センサ付き物品固定具を提供することができる。
【図面の簡単な説明】
【００２３】
【図１】  振動センサ付き物品固定具１０を開口部１２の側から見た斜視図
【図２】  振動センサ付き物品固定具１０を振動センサ部５０の側から見た斜視図
【図３】  振動センサ付き物品固定具１０の上面図
【図４】  リセット状態で振動センサ付き物品固定具１０の上蓋２０を取り外した図
【図５】  セット状態で振動センサ付き物品固定具１０の上蓋２０を取り外した図
【図６】  図４の斜視図
【図７】  図５の斜視図
【図８】  振動センサ付き物品固定具１０のベース部１１を示す図
【図９】  振動センサ付き物品固定具１０とキャスタ付き台車９０を示す図
【図１０】  図９のＸ−Ｘ一部断面図であり、被固定部９４が開口部１２から進入する状態を示す図
【図１１】  図９のＸ−Ｘ一部断面図であり、被固定部９４が開口部１２から進入してダンパ１９に当接している状態を示す図
【図１２】  振動感知部６０の中心断面図
【図１３】  図４のＹ−Ｙ断面図
【図１４】  図１３の斜視図
【発明を実施するための形態】
【実施例】
【００２４】  以下に図面を用いて本発明の実施例を説明する。なお、この実施例において、本発明の振動センサ付き物品固定具で固定される物品を工場等で製品や部品の搬送に使用されるキャスタ付き台車としているが、これに限定されるものではない。具体的には、事務所の会議室における折り畳み式机、椅子やホワイトボード等のように、キャスタの有無を問わず当該物品を使用する際には所定位置から移動し、使用が完了した際にはその所定位置に戻される物品であれば、本発明の振動センサ付き物品固定具が適用可能である。【００２５】  最初に図１乃至図１１を用いて、本発明の振動センサ付き物品固定具１０の構成を説明する。図１は、本発明の振動センサ付き物品固定具１０を固定される物品としてのキャスタ付き台車９０に設けられた被固定部９４が進入する開口部１２の側から見た斜視図である。図２は、本発明の振動センサ付き物品固定具１０を振動センサ部５０の側から見た斜視図である。図３は、本発明の振動センサ付き物品固定具１０の上面図である。なお本発明の実施例において、特に断りがない限り、本発明の振動センサ付き物品固定具１０が設置される接地面の側に向かう方向を下側、接地面から離れる方向を上側とする。このため、振動センサ付き物品固定具１０の上面とは該接地面に接する面と反対となる面である。【００２６】  図４は、振動センサ付き物品固定具１０の上蓋２０を取り外した図であり、被固定部９４が開口部１２とダンパ１９との間を進入出自在となっているリセット状態を示す図である。図５は、振動センサ付き物品固定具１０の上蓋２０を取り外した図であり、被固定部９４がロックアーム３０により進出不可に固定されるセット状態を示す図である。図６は図４の斜視図である。図７は図５の斜視図である。図８は、振動センサ付き物品固定具１０のベース部１１を示す図である。【００２７】  図９は、振動センサ付き物品固定具１０とキャスタ付き台車９０を示す図である。図１０は、図９のＸ−Ｘ一部断面図であり、被固定部９４が開口部１２から進入する状態を示す図である。図１１は、図９のＸ−Ｘ一部断面図であり、被固定部９４が開口部１２から進入してダンパ１９に当接している状態を示す図である。【００２８】  図９乃至図１１によると、地震等による振動に対して転倒や移動を防止したい物品としてのキャスタ付き台車９０は、略矩形の台座９１の下面（キャスタが転動することでキャスタ付き台車９０が移動する接地面の側の面）の４隅に設けられた複数のキャスタ９２と、台座９１の一側面近傍に設けられた被固定部９４とから構成されている。【００２９】  このキャスタ付き台車９０は、例えば工場内において台座９１の上面に部品等を載置して該部品を搬送するために使用される物品であるため、地震等の振動に備えて常時接地面に固定しておくという訳にはいかない。また、キャスタ付き台車９０は、部品を搬送する時以外は台車毎に置かれる位置が所定位置として決められていることが多い。このため、振動センサ付き物品固定具１０に求められる機能は、地震等の振動がないときには動作しない状態が維持されてキャスタ付き台車９０による部品の搬送を妨げることがないようにすることと、振動センサ付き物品固定具１０をキャスタ付き台車９０が置かれる所定位置に配置しておき、ひとたび地震が発生した場合には、キャスタ付き台車９０が所定位置で転倒したり所定位置から移動したりしないようにすることである。【００３０】  また、キャスタ付き台車９０を振動センサ付き物品固定具１０へ固定するための被固定部９４は、どのような形状、大きさ、高さを有するキャスタ付き台車にでも適用可能とするために、加工が容易で、かつ簡素な構成が求められる。その一例として、本実施例における被固定部９４は、台座９１の一側面の近傍で台座９１の上面と下面を貫通する貫通穴９５と、貫通穴９５に挿通され、その軸方向と平行な表面にネジ溝が設けられた軸部９６と、軸部９６が貫通穴９５に挿通された一方部分で台座９１の上面と下面から該ネジ溝に螺合して軸部９６を台座９１に固定する２つのナット９７と、軸部９６の他方部分に固定される軸部９６の直径より大きい直径を有するダンパ当接部９８を備える。【００３１】  上記の構成を備える被固定部９４は、台座９１に貫通穴９５を設けるのみで取り付け可能であり、どのようなキャスタ付き台車にでも容易に、かつ安価に設けることが可能である。また、軸部９６に設けたネジ溝と該ネジ溝に螺合する２つのナット９７により、ダンパ当接部９８の高さ調整が容易となっている。なお、本実施例により説明した被固定部９４は一例を示すのみであり、キャスタ付き台車９０の転倒と移動を防止する機能を阻害しない範囲で、例えばＬ形状フックを台座９１に溶接したり、またはダンパ当接部９８の代わりに軸部９６の他方部分に凹部分を設けたりすることも可能である。【００３２】  キャスタ付き台車９０の転倒や移動を防止する振動センサ付き物品固定具１０は、一方の面（下面）が接地面に固着されるベース部１１と、一部に開口部１２を備え、ベース部１１の他方の面（上面）を覆う上蓋２０と、ベース部１１の上面に配置され、被固定部９４を進入出自在の状態と固定状態とにする第１のアームとしてのロックアーム３０と、ベース部１１の上面に配置され、ロックアーム３０に連結可能な第２のアームとしてのセットアーム４０と、ベース部１１の上面に配置され、セットアーム４０と接続することでロックアーム３０とセットアーム４０の連結を規制してロックアーム３０を進入出自在の状態とし、地震等の振動の感知によりセットアーム４０との接続を解除することでロックアーム３０とセットアーム４０を連結させてロックアーム３０を固定状態とする振動センサ部５０とを概略具備している。【００３３】  図４乃至図７によると、第１のアームとしてのロックアーム３０は、基端にロックアーム回動支軸３１を備え、先端にロックアーム３０をロックアーム回動支軸周りに図４、図５における時計方向に回動偏倚させるロックアーム付勢手段としての引っ張りバネ３２が係止されており、ロックアーム３０を時計方向に所定の付勢力で付勢している。また、ロックアーム３０の基端と先端の間には、ロックアーム３０の時計方向と半時計方向との両方向の所定以上の回動を規制するための長穴３３と規制軸３４とからなる回動規制部３５が設けられている。なお、長穴３３は、ロックアーム回動支軸３１を中心とした円弧と平行となるように設けられた���円穴である。【００３４】  また、ロックアーム３０の図４、図５における下縁の一部であって、基端（ロックアーム回動支軸３１）側に位置する部分は、キャスタ付き台車９０に取り付けられた被固定部９４が開口部１２から進入する際の進入軸線に対して、所定の角度で傾斜する斜面３６を構成している。また、ロックアーム３０の図４、図５における下縁の一部であって、斜面３６に先端側で隣接する部分は、該進入軸線に対して、所定の角度で傾斜し、斜面３６の傾斜に対して略１８０度の線対称となる逆斜面３７を構成している。【００３５】  また、ロックアーム３０は、先端にセットアーム４０と連結することでロックアーム３０の回動を不可にして固定状態にする回動固定部３８を備えている。【００３６】  上記のように構成されるロックアーム３０は、被固定部９４が進入する際には被固定部９４のダンパ当接部９８が斜面３６に当接し、また、被固定部９４が進出する際には被固定部９４のダンパ当接部９８が逆斜面３７に当接することにより、引っ張りバネ３２の付勢力に抗して、図４のように反時計方向に回動させられるように設定されている。この結果、地震等の振動がない時には、被固定部９４は開口部１２を進入出自在の状態（リセット状態）となっている。【００３７】  なお、図４と図６は、リセット状態のうち、被固定部９４が進入出で斜面３６または逆斜面３７に当接することで、反時計方向に最大限回動させられたリセット状態の一形態を示す図である。即ち、リセット状態とは、被固定部９４が開口部１２を進入出自在の状態のことであるので、図４、図６に示す形態はもちろん、ロックアーム３０が引っ張りバネ３２の付勢力で時計方向に最大限回動させられた状態であっても被固定部９４が開口部１２を進入出自在の状態であればリセット状態となる。【００３８】  また、ロックアーム３０は、地震等の振動が発生すると、振動センサ部５０の該振動の感知によりセットアーム４０が動作し、図５、図７のようにロックアーム３０とセットアーム４０が連結して回動動作が不可となる。この結果、地震等の振動の発生時には、被固定部９４は開口部１２への進出不可の固定状態（セット状態）となる。【００３９】  このように、ロックアーム３０は、ロックアーム回動支軸３１を中心に回動偏倚すると共に、ベース部１１の上面でロックアーム付勢手段の付勢力によりセットアーム４０が連結可能となる（図５、図７に示される）位置に配置されているアーム状部材である。また、ロックアーム３０は、被固定部９４が開口部１２を進入出する際には該被固定部９４がロックアーム３０に当接することでロックアーム付勢手段の付勢力に抗して回動する進入出自在の状態（リセット状態）と、地震等の振動でセットアーム４０と連結して回動動作が不可となる固定状態（セット状態）との２つの状態を実現する。【００４０】  このロックアーム３０は、上記のリセット状態とセット状態を実現可能であれば、どのような構成でも良く、例えば、ロックアームの付勢手段であるロックアーム３０の先端と垂直壁面１７との間に掛け渡された引っ張りバネ３２の代わりに板バネ等のその他のバネや電磁石等を利用しても良いし、また付勢力の方向もロックアーム３０としての機能を��現可能であればどの方向から付勢しても良いことは説明するまでもない。【００４１】  また、ロックアーム３０の回動偏倚の回転方向や方法、また、セットアーム４０との連結方法も、ロックアーム３０の上記のリセット状態とセット状態を実現可能であれば上記実施例に限定されるものではなく、種々変形が可能である。【００４２】  図４乃至図７によると、第２のアームとしてのセットアーム４０は、一方にロックアーム３０と連結する連結部４２と、他方に振動センサ部５０と接続する接続部４４と、連結部４２と接続部４４との間に設けられたセットアーム回動支軸４５とを概略備えている。【００４３】  また、セットアーム回動支軸４５にはセットアーム付勢手段としてのねじりバネ４６が係止されており、セットアーム４０をセットアーム回動支軸４５周りに図４、図５における半時計方向に所定の付勢力で付勢している。【００４４】  また、セットアーム４０のセットアーム回動支軸４５と接続部４４との間には、セットアーム４０が振動センサ部５０にセットアーム４０を上下から挟み込むスペーサ４７が設けられている。このスペーサ４７は、震度の感知により繊細に上下動する振動センサ部５０のセンサレバー５９の動作を精度良く検知するために、セットアーム４０の上下方向の遊び（ぶれ）を規制する機能を有している。【００４５】  また、セットアーム４０の一方の先端部分には、ロックアーム３０をセット状態（図５、図７の状態）からリセット状態（図４、図６の状態）に復旧（リセット）させるためのリセットレバー４８が設けられている。【００４６】  このように、セットアーム４０は、セットアーム回動支軸４５を中心に回動し、セットアーム付勢手段であるねじりバネ４６の付勢力によって半時計方向に付勢されてロックアーム３０と連結するアーム状部材である。【００４７】  また、このセットアーム４０は、接続部４４と振動センサ部５０のセンサレバー５９がねじりバネ４６の付勢力に抗して接続する接続状態が維持可能に構成されており、図４、図６に示すとおり、この接続部４４とセンサレバー５９の接続状態が維持される限り、ロックアーム３０のリセット状態（被固定部９４が開口部１２を進入出自在の状態）が維持されることになる。【００４８】  なお、接続部４４とセンサレバー５９の接続は、本実施例においては、セットアーム４０の一方に設けられた溝部（連結部４２）にセンサレバー５９の先端近傍に設けられた溝部が係止される構造となっているが、この構成以外の様々な構成とすることが可能である。例えば、センサレバー５９の先端に電磁石を設け、鉄等の教磁性体からなる接続部５９に磁力で接続する構成等、様々な構成とすることが可能である。即ち、接続部４４とセンサレバー５９の接続は、振動センサ部５０が地震等の振動を感知するとセンサレバー５９と接続部４４の接続状態が解除されるように構成されることが重要であり、このような構成とすることで、図５、図７に示すとおり、センサレバー５９と接続部４４の接続状態の解除によりセットアーム４０がねじりバネ４６の付勢力で半時計方向に回動してロックアーム３０の回動固定部３８とセットアーム４０の連結部４２が連結する。【００４９】  なお、回動固定部３８と連��部４２の連結は、本実施例においては、セットアーム４０の一方に設けられた貫通穴（連結部４２）にロックアーム３０の先端全体（回動固定部３８）が嵌り込む構造となっているが、この構成以外の様々な構成とすることが可能である。即ち、回動固定部３８と連結部４２の連結での重要な構成は、ロックアーム３０の回動偏倚の方向とセットアーム４０の回動の方向は略直角となっていることであり、このような構成とすることでロックアーム３０の回動動作が不可となりロックアーム３０はセット状態（固定状態）となる。【００５０】  また、ロックアーム３０のセット状態を解除するには、リセットレバー４８をねじりバネ４６の付勢力に抗して時計方向に回動し、接続部４４とセンサレバー５９の接続状態を回復させることで行う。【００５１】  このように、セットアーム４０は、接続部４４とセンサレバー５９の接続状態を維持してロックアーム３０の回動固定部３８とセットアーム４０の連結部４２が連結しないようにすることで、ロックアーム３０をリセット状態とし、また、地震等の振動による接続部４４とセンサレバー５９の接続状態の解除により回動固定部３８と連結部４２の連結で、ロックアーム３０をセット状態とする機能を有している。【００５２】  上述したように、振動センサ付き物品固定具１０で部品等が載置されているキャスタ付き台車９０の転倒防止や移動防止を行うには、被固定部９４を確実に固定するロックアーム３０の機能と、振動センサ部５０の震度の感知により繊細に上下動するセンサレバー５９の動作でロックアーム３０を確実にセット状態（固定状態）とするセットアーム４０の機能の共働作業が欠かせない。即ち、ロックアーム３０の機能は、回動固定部３８と連結部４２の連結がロックアーム３０の回動偏倚の方向とセットアーム４０の回動の方向が略直角となっていることで強力かつ確実となっている。また、ロックアーム３０をセット状態にするセットアーム４０の機能は、回動固定部３８と連結部４２の連結がセンサレバー５９の繊細な上下動をセットアーム４０の回動動作に変換、拡大されることで確実に行われる。【００５３】  なお、このセットアーム４０の付勢手段は、上記で説明したねじりバネ４６に限らずセットアーム４０を付勢するものであれば、どのような構成でも良く、例えば、板バネ等のその他のバネや電磁石等を利用しても良いし、また付勢力の方向もセットアーム４０としての機能を実現可能であればどの方向から付勢しても良いことは説明するまでもない。なお、セットアーム４０の付勢手段の付勢力は接続部４４とセンサレバー５９の接続状態を解除する際の感度に影響するため、その位置や付勢力の量や方向を慎重に検討することが必要である。【００５４】  また、セットアーム４０の回動の回転方向や方法、また、ロックアーム３０との連結方法も、上記実施例に限定されるものではなく、種々変形が可能である。【００５５】  図８によると、ベース部１１は、一方の面（下面）が接地面に固着され、他方の面（上面）に上蓋２０とロックアーム３０とセットアーム４０と振動センサ部５０が配置された構成となっている。【００５６】  また、ベース部１１は、下面を接地面に固着するために用いる複数の固着ボルト１３をベース部１１の上面から下面に向かって挿通するための複数のベース部貫通穴１４を備えている。なお、ベース部１１を接地面に固着するための固着ボルト１３の代わりに、例えば接地面とベース部１１の下面との間に両面接着テープを用いても良いことは説明するまでもない。【００５７】  また、ベース部１１は、その上面に立設される壁面であって、キャスタ付き台車９０に取り付けられた被固定部９４が開口部１２から進入する際の進入軸線に対して、所定の角度で傾斜すると共に、ロックアーム３０の斜面３６と対をなす斜壁面１５と、斜壁面１５に隣接して立設される壁面であって、該進入軸線に対して平行な平行壁面１６と、平行壁面１６に隣接する壁面であって、該進入軸線に対して垂直な垂直壁面１７とを備えている。【００５８】  また、ベース部１１の上面に配置されるロックアーム３０の先端近傍であって、該ロックアーム３０が接触しない位置には、上蓋２０を固定するための上蓋固定ネジ２４を螺合するために中心に雌ネジが螺設された上蓋固定ネジ螺合部１８がベース部１１の上面に立設されている。【００５９】  さらに、斜壁面１５、平行壁面１６及び垂直壁面１７の壁面上端には、上蓋固定ネジ２４を螺合するために雌ネジが螺設された上蓋固定ネジ螺合部１８が設けられている。なお、ロックアーム回動支軸３１、規制軸３４、セットアーム回動支軸４５はベース部１１の上面に各々立設され、それらの各々の上部の中心には上蓋固定ネジ２４を螺合するための雌ネジが螺設されている。【００６０】  また、ロックアーム３０とロックアーム３０と平行壁面１６とで構成される空間には、被固定部９４のダンパ当接部９８が当接するダンパ１９がベース部１１の上面に立設されている。なお、このダンパ１１は、その外周部に金属等の硬度の高い部材が用いられ、その内周部にゴム等の弾力性の高い部材が用いられており、ダンパ当接部９８が開口部１２から進入してダンパ１９に当接した際に、内周部の弾力性の高い部材が衝撃を和らげると共に、外周部の硬度の高い部材がダンパ１９全体の弾性変形を抑えるようになっている。【００６１】  図１乃至図３によると、上蓋２０は、上蓋の上面の略全体を覆う上蓋上面２１と、上蓋上面２１の３辺に設けられ、ベース部材１１の３辺に載置される上蓋側面２２と、上蓋２０をベース部１１に固着する上蓋固定ネジ２４とで概略構成されている。この上蓋２０によりベース部材１１の上面に配置されるロックアーム３０、セットアーム４０、振動センサ部５０等が覆われて、これらがゴミや異物、またはキャスタ付き台車９０のキャスタ９２から保護される。【００６２】  また、特に振動センサ部５０は繊細な構成であるので、ゴミ等の異物の侵入を防止するために斜壁面１５と平行壁面１６と垂直壁面１７と上蓋２０の上蓋上面２１及び上蓋側面２２で構成される空間に配置されている。【００６３】  また、上蓋２０は、上蓋側面２２が設けられていない１辺に、キャスタ付き台車９０に取り付けられた被固定部９４が進入する際の進入軸線に向かって開口するＶ字型切り込み部２６と、該Ｖ字型切り込み部２６の底部側（Ｖ字文字の開放しない側）に設けられ、該進入軸線と平行な平行切り込み部２７が設けられている。【００６４】  開口部１２は、ロックアーム３０の斜面３６と、該斜面３６と対をなす斜壁面１５と、上蓋２０のＶ字型切り込み部２２及び平行切り込み部２７とで構成される空間である。キャスタ付き台車９０に取り付けられた被固定部９４が開口部１２から進入する際に進入軸線がＶ字型切り込み部２２に衝突する方向の場合には、被固定部９４の軸部９６がＶ字型切り込み部２２に当接してガイドされてＶ字型切り込み部２２に導かれる。また、この時、同時に、被固定部９４のダンパ当接部９８がロックアーム３０の斜面３６に当接してロックアーム３０が反時計方向に回動することになる。【００６５】  また、平行切り込み部２７の幅（該進入軸線に垂直な方向であってベース部１１に平行な方向）は、被固定部９４の軸部９６の直径より大きく、ダンパ当接部９８の直径より小さく設定されている。この結果、ダンパ当接部９８へ接地面に対して垂直な方向のうち接地面から離れる方向（上方）へ力が作用しても、上蓋２０がダンパ当接部９８を押さえ込むため、被固定部９４が振動センサ付き物品固定具１０から外れてキャスタ付き台車９０が転倒したりすることがない。【００６６】  ダンパ当接部９８は、ロックアーム３０による固定、即ち、ロックアーム３０とセットアーム４０が連結することでロックアーム３０が回動不可となりダンパ当接部９８が逆斜面３７に当接しても開口部１２へ進出不可に固定される。また、ダンパ当接部９８は、上蓋２０による固定、即ち、ダンパ当接部９８が接地面から離れる方向で上蓋２０に押さえ込まれて固定される。このように、ロックアーム３０と上蓋２０は被固定部９４を固定する固定部を構成している。【００６７】  次に図４乃至図８及び図１２乃至図１４を用いて、本発明の振動センサ付き物品固定具１０の振動センサ部５０の構成を説明する。図１２は、振動感知部６０の中心断面図である。図１３は、図４のＹ−Ｙ断面図である。図１４は、図１３の斜視図である。【００６８】  本発明の振動を感知する振動センサ部５０は、感知した振動をセットアーム４０に伝えるセンサアーム５１と、振動を感知する振動感知部６０とから概略構成されている。【００６９】  センサアーム５１は、基端に２つのセンサアーム回動支軸５２を備えており、センサアーム回動支軸周りに図４、図５における紙面に垂直な方向（接地面に垂直な方向である上下方向）に回動偏倚するように構成されている。また、センサアーム５１の先端には、セットアーム４０の接続部４４に接続されるセンサレバー５９が設けられている。【００７０】  また、センサアーム５１は、２つのセンサアーム回動支軸５２をベース部１１に固定するためのセンサアーム固定部５３を備えている。また、センサアーム固定部５３のベース部１１への固定は、ベース部１１に螺設されたセンサアーム固定ボルト螺合部５４にセンサアーム固定ボルト５５で固定される。【００７１】  振動感知部６０は、中心に貫通穴が設けられた円盤状のおもり部６１と、開口した一端６３と閉口した他端６４とを有し、該一端の側がおもり部６１の貫通穴に挿入される筒状のおもり保持部６２とから構成されている。また、閉口した他端６４は、その内側に円錐状に形成された円錐部６５が設けられ、その外側に円柱形の突端部６６が設けられている。また、おもり保持部６２の外周には開口した一端６３をおもり部６１の貫通穴に挿入した際に抜け止めとなるつば部６７が設けられている。なお、閉口した他端６４の外側の筒状形状の円周部を肩部６８とする。【００７２】  また、ベース部１１には、振動感知部６０のおもり保持部６２の内側に挿入しておもり保持部６２を懸垂する、少なくとも先端が円錐形の軸状のおもり懸垂部６９が突設されている。【００７３】  また、センサアーム５１は、基端に２つのセンサアーム回動支軸５２が備えられた基端とセンサレバー５９が設けられた先端の間に、振動感知部６０の円柱形の突端部６６が挿入される突端部挿入穴５６が設けられている。【００７４】  上記のように構成される振動センサ部５０による地震等の振動の感知は以下の通りである。おもり保持部６２の内側に挿入されたおもり懸垂部６９で懸垂される振動感知部６０が、地震等の振動で接地面に対して上下する方向に揺動する。この振動感知部６０の揺動の結果、肩部６８が突端部挿入穴５６の近傍を上側（接地面から離れる方向）に押し上げる。【００７５】  センサアーム５１の突端部挿入穴５６はセンサアーム５１の基端と先端の間に設けられている、即ち、センサアーム５１の基端と突端部挿入穴５６との間の距離は、センサアーム５１の基端と先端との間の距離より短いので、てこの原理により振動感知部６０の揺動はセンサアーム５１により増幅されてセンサレバー５９に伝えられる。【００７６】  この結果、センサレバー５９とセットアーム４０の接続部４４との接続が解除され、ロックアーム３０とセットアーム４０が連結してロック状態となる。【００７７】  なお、円錐状に形成された円錐部６５に先端を円錐形に形成したおもり懸垂部６９を当接させておもり保持部６２を懸垂する構成は、振動感知部６０の振動に対する感度を敏感にすることに有効である。また、おもり保持部６２に対して非常に大きな大きさと質量を持つおもり部６１の構成は、振動が収まった後の振動感知部６０の素早い揺動停止に有効である。また、先端を円錐形に形成したおもり懸垂部６９の高さ位置に対しておもり部６１の高さ位置が低い（ベース部１１に近い）位置となっている構成は、振動感知部６０の振動に対する感度の安定性を高くすることと、振動が収まった後の振動感知部６０の素早い揺動停止に有効である。【００７８】  また、振動に対する振動感知部６０の感度の調整は、おもり部６１の大きさや質量で行うことも可能であるが、振動センサ付き物品固定具１０の設置作業の場で、このおもり部６１の変更は難しいことがある。このため、振動感知部６０の感度の調整として、センサレバー５９をセンサアーム５１に取り付けるネジを緩めてセンサレバー５９を上下方向に高さ調整を行ったり、また、センサアーム５１に感度調整用おもりを取り付けたりすることが有効である。【００７９】  また、センサレバー５９がセットアーム４０の接続部４４と接続する高さ位置（ベース部１１の上面からの距離）と、ベース部１１の上面と平行な方向に延出するセンサアーム回動支軸５２の高さ位置（ベース部１１の上面とセンサアーム回動支軸５２の間の距離）を一致させると、振動感知部６０の振動に対する感��を敏感にすることが可能である。【００８０】  以上のように、本発明の振動センサ付き物品固定具１０により、地震等の振動が発生した場合には物品の転倒や移動を確実に防止することが可能であると共に、当該物品を使用する際には、物品を所定位置から移動することを何ら妨げることがない物品固定具を提供することができる。【００８１】  また、本発明の振動センサ付き物品固定具１０は、接地面に垂直な方向の高さが低く、物品の移動時に障害となりにくい特徴も有する。【００８２】  またさらに、本発明の振動センサ付き物品固定具１０は、従来の物品に簡単な被固定部９４を設けるだけで使用することが可能であり、安価で簡便である特徴も有する。
【産業上の利用可能性】
【００８３】  本発明の振動センサ付き物品固定具１０は、接地面に対するロックアーム３０、セットアーム４０の向きと回動方向を変更すると共に、ロックアーム３０と上蓋２０で構成される固定部の向きを変更することにより、例えば倉庫内の棚に設置された荷物の落下防止に使用する柵（被固定部９４）を固定することにも利用可能である。
【符号の説明】
【００８４】１０・・・振動センサ付き物品固定具、  １１・・・ベース部、  １２・・・開口部、  １３・・・固着ボルト、  １４・・・ベース部貫通穴、  １５・・・斜壁面、  １６・・・平行壁面、  １７・・・垂直壁面、  １８・・・上蓋固定ネジ螺合部、  １９・・・ダンパ、  ２０・・・上蓋、  ２１・・・上蓋上面、  ２２・・・上蓋側面、  ２４・・・上蓋固定ネジ、  ２６・・・Ｖ字型切り込み部、  ２７・・・平行切り込み部、  ３０・・・ロックアーム、  ３１・・・ロックアーム回動支軸、  ３２・・・引っ張りバネ、  ３３・・・長穴、  ３４・・・規制軸、  ３５・・・回動規制部、  ３６・・・斜面、  ３７・・・逆斜面、  ３８・・・回動固定部、  ４０・・・セットアーム、  ４２・・・連結部、  ４４・・・接続部、  ４５・・・セットアーム回動支軸、  ４６・・・ねじりバネ、  ４７・・・スペーサ、  ４８・・・リセットレバー、  ５０・・・振動センサ部、  ５１・・・センサアーム、  ５２・・・センサアーム回動支軸、  ５３・・・センサアーム固定部、  ５４・・・センサアーム固定ボルト螺合部、  ５５・・・センサアーム固定ボルト、  ５６・・・突端部挿入穴、  ５９・・・センサレバー、  ６０・・・振動感知部、  ６１・・・おもり部、  ６２・・・おもり保持部、  ６３・・・開口した一端、  ６４・・・閉口した他端、  ６５・・・円錐部、  ６６・・・突端部、  ６７・・・つば部、  ６８・・・肩部、  ６９・・・懸垂部、  ９０・・・キャスタ付き台車、  ９１・・・台座、  ９２・・・キャスタ、  ９４・・・被固定部、  ９５・・・貫通穴、  ９６・・・軸部、  ９７・・・ナット、  ９８・・・ダンパ当接部
【図１】
2010164189.tif 000003
【図２】
2010164189.tif 000004
【図３】
2010164189.tif 000005
【図４】
2010164189.tif 000006
【図５】
2010164189.tif 000007
【図６】
2010164189.tif 000008
【図７】
2010164189.tif 000009
【図８】
2010164189.tif 000010
【図９】
2010164189.tif 000011
【図１０】
2010164189.tif 000012
【図１１】
2010164189.tif 000013
【図１２】
2010164189.tif 000014
【図１３】
2010164189.tif 000015
【図１４】
2010164189.tif 000016